(57)【要約】【課題】本体内部に加熱コイルの収容室と制御基板の収容室とを分離して設けるとともに、本体前面側の側壁を補強する補強部材に両室を連通させる風路を設けることにより、省スペースの構造を実現し、また制御基板の収容室から加熱庫の下側を経由させて冷却風の一部を導入することにより加熱庫側の本体側壁を冷却するようにした誘導加熱調理器を提供する。【解決手段】本体１と、本体内部に設けられた、複数の加熱コイル２ａ、２ｂが収容されたコイル収容室６と、前記加熱コイルを駆動する制御基板２１が収容された基板収容室２０と、本体内部に冷却風を供給する冷却ファン５と、本体前面側の側壁間に横架された補強部材７とを備え、前記補強部材７は、前記コイル収容室６と前記基板収容室２０とを連通させる冷却風路８を備える。【選択図】図２
2008071679.tif 000002
【特許請求の範囲】
【請求項１】
本体と、本体内部に設けられた、複数の加熱コイルが収容されたコイル収容室と、前記加熱コイルを駆動する制御基板が収容された基板収容室と、本体内部に冷却風を供給する冷却ファンと、本体前面側の側壁間に横架された補強部材とを備え、
前記補強部材は、前記コイル収容室と前記基板収容室とを連通させる冷却風路を備えたことを特徴とする誘導加熱調理器。
【請求項２】
前記補強部材は、コ字状の断面形状を有することを特徴とする請求項１記載の誘導加熱調理器。
【請求項３】
前記補強部材の上面にスイッチを有する操作基板を搭載し、その上面に前記冷却風路に連通し前記操作基板を冷却する連通孔を設けたことを特徴とする請求項１または２記載の誘導加熱調理器。
【請求項４】
前記補強部材をＬ型部材と基板ホルダーとでコ字状の断面形状を有するように構成し、前記基板ホルダーに前記操作基板を搭載するとともに、前記操作基板を冷却する連通孔を設けたことを特徴とする請求項３記載の誘導加熱調理器。
【請求項５】
仕切壁により前記基板収容室と区画された加熱庫を備え、前記仕切壁に設けられ前記基板収容室内に送風される冷却風の一部を導入する入口と、本体側壁と前記加熱庫との隙間に通じる出口とを有し、前記加熱庫の底部を横断するように設けられた側壁冷却風路を有することを特徴とする請求項１乃至４のいずれかに記載の誘導加熱調理器。
【請求項６】
前記加熱庫は、断熱層を有する二重壁構造を有し、この二重壁の底面に前記側壁冷却風路を形成したことを特徴とする請求項５記載の誘導加熱調理器。
【発明の詳細な説明】
【技術分野】
【０００１】
本発明は、キッチン組み込み型またはキッチン据え置き型として使用される誘導加熱調理器に関する。
【背景技術】
【０００２】
従来の誘導加熱調理器として、本体内部に吸気専用ファンと排気専用ファンを設け、加熱コイルとその加熱コイルを駆動する制御基板とを一体的に加熱ユニットとして構成し、吸気口より吸引した冷却風により制御基板や加熱コイル、さらには加熱ユニットの下方に配置されたグリル部を冷却するものがあった（例えば、特許文献1参照）。
【０００３】
【特許文献１】特開平１１−３５４２６４号公報（第２−３頁、図１、図４）
【発明の開示】
【発明が解決しようとする課題】
【０００４】
しかし、上記のような冷却構造では、加熱コイルと制御基板とが一体的に構成されているため、特に加熱コイルを冷却させる場合、加熱コイルの下方に風路を形成する必要があり、そのうえに加熱ユニットの下方にはグリル部を配置する必要があるため、加熱コイルと制御基板との間に、スペース的に冷却に必要な風路面積を確保しにくいという問題があった。
一方、本体内部に加熱コイルの収容室と制御基板の収容室とを分離して設けると、両室を連通させる風路を形成する必要があり、風路のために大きなスペースが必要であった。
また、グリル部にて調理を行う際に、グリル部の加熱庫からの熱が漏洩し、加熱庫側の本体側壁が高温になることが問題となっていた。
また、従来の誘導加熱調理器はできるだけ重量を軽くするため、薄い金属板で本体ケースを製作しているが、そのような軽量構造では本体側壁が凹みやすくなり、これを防ぐために本体側壁を補強する必要があった。
【０００５】
本発明は、上記のような課題に鑑み、本体内部に加熱コイルの収容室と制御基板の収容室とを分離して設けるとともに、本体前面側の側壁を補強する補強部材に両室を連通させる風路を設けることにより、省スペースの構造を実現し、また制御基板の収容室から加熱庫の下側を経由させて冷却風の一部を導入することにより加熱庫側の本体側壁を冷却するようにした誘導加熱調理器を提供することを目的としている。
【課題を解決するための手段】
【０００６】
本発明に係る誘導加熱調理器は、本体と、本体内部に設けられた、複数の加熱コイルが収容されたコイル収容室と、前記加熱コイルを駆動する制御基板が収容された基板収容室と、本体内部に冷却風を供給する冷却ファンと、本体前面側の側壁間に横架された補強部材とを備え、前記補強部材は、前記コイル収容室と前記基板収容室とを連通させる冷却風路を備えたことを特徴とするものである。
【発明の効果】
【０００７】
本発明によれば、本体前面側の側壁間に横架された補強部材が本体前面側の側壁の補強と共に、コイル収容室と基板収容室とを連通させる冷却風路を有するため、省スペースの構造を実現できる効果がある。
【発明を実施するための最良の形態】
【０００８】
実施の形態１．
図１〜図３は本発明の実施の形態１におけるキッチン据え置き型の誘導加熱調理器を示すもので、図１はその誘導加熱調理器を正面側から見た概略の斜視図、図２は背面側から見た概略の斜視図で、トッププレートを取り外した状態を示している。図３は誘導加熱調理器の概略側面断面図である。
【０００９】
この誘導加熱調理器は、箱型に形成された本体１と、本体１内部の上方に配設された複数の電磁誘導による加熱コイル２ａ、２ｂと、正面から見て右側の加熱コイル２ｂの下方に設けられた基板収容室２０と、正面から見て左側の加熱コイル２ａの下方に設けられたグリル部３０と、本体１の背面側に設けられた吸気口３と、本体１の上面後部に設けられた排気口４と、吸気口３の近傍に設けられた冷却ファン５とを備えている。なお、図中、9は電熱ヒータで、例えばラジエントヒータからなるものであり、必要に応じて設置される。４０は加熱コイル２ａ、２ｂやグリル部３０等の加熱状態を調節する操作パネルで、加熱量調整ダイヤル４２及びスイッチ４３が設けられている。
【００１０】
本体１の上面には、被調理鍋（図示せず）が載置されるトッププレート１０が取り付けられている。トッププレート１０には加熱コイル２ａ、２ｂやグリル部３０等の加熱具合を表示する液晶表示装置からなる表示部４１が設けられている。
また、各々の加熱コイル２ａ、２ｂの組立体は、バネにより上方に付勢された状態でコイルユニット支持プレート１２上に支持されている。したがって、このコイルユニット支持プレート１２とトッププレート１０により加熱コイル２ａ、２ｂを収容するコイル収容室６が本体１内の上部に形成されている。
また、上記基板収容室２０には加熱コイル２ａ、２ｂを駆動するための電子・電気部品やヒートシンク等が搭載された一もしくは複数の制御基板２１が収容され冷却風の流れ方向にほぼ平行に配設されている。
【００１１】
本体１の前面側には本体１の側壁を補強するための補強部材７がその側壁間に横架されている。そしてこの補強部材７は、コ字状の断面形状を有し、その開口部が上記コイル収容室６と基板収容室２０とに面して両室６、２０を連通させる冷却風路８を形成している。すなわち、この補強部材７は本体１前面側の側壁の補強と風路形成の双方を兼ね備えた兼用部材となっている。そのため、上記コイルユニット支持プレート１２の前面側端部１２ａはコ字状の補強部材７の開口面に臨ませて設置されている。
【００１２】
また、各加熱コイル２ａ、２ｂに対する冷却風を集中的に当てるため、風路ガイド部材１３ａ、１３ｂが補強部材７から一方の加熱コイル２ａへ向けて延びるようにコイルユニット支持プレート１２上に立設されている。風路ガイド部材１３ａ、１３ｂによって、冷却風路８に連通し、各加熱コイル２ａ、２ｂに対して並列の冷却風路８ａ、８ｂが形成される。なお、他方の加熱コイル２ｂに対しては、冷却ファン５からの冷却風をダクト（図示せず）により一部分岐して直接吹き付けるようにしても良い。
【００１３】
本体１の背面は、上部背面１４ａに対して下部背面１４ｂが本体１の幅全体にわたってほぼ一様に窪ませた形状に形成されており、その窪み部１４を形成する下部背面１４ｂに吸気口３が設けられている。このように本体１の背面側の下部を窪ませた窪み部１４内に吸気口３を設けることにより、本体１を図３のようにキッチン側の壁面１０１にほぼ密接して設置した場合でも十分に吸気を確保することができる。なお、吸気口３は下部背面１４ｂのほか、上部背面１４ａと下部背面１４ｂとを接続する傾斜面１４ｃにも設けることができる。
【００１４】
次に、この誘導加熱調理器による調理時の冷却作用について説明する。冷却風は、冷却ファン５を回転させることによって吸気口３から本体１内部に取り込まれる。本体１内部に取り込まれた冷却風は、図３に矢印で示すように流れて、基板収容室２０内の制御基板２１を冷却して基板搭載部品の温度上昇を抑制し、ついでコ字状断面の補強部材７により形成される冷却風路８に入る。補強部材７の冷却風路８は、基板収容室２０と、加熱コイル２ａ、２ｂが設けられたコイル収容室６の双方に連通しているため、基板収容室２０から出た冷却風は冷却風路８を補強部材７の長さ方向に流れて、コイル収容室６内、すなわちトッププレート１０とコイルユニット支持プレート１２とで形成される隙間に入る。ついでこの冷却風は、加熱コイル２ａ、２ｂの下方を流れて加熱コイル２ａ、２ｂを冷却したのち、トッププレート１０に設けられた排気口４より外部へ排出される。
【００１５】
本実施の形態１では、本体１の側壁を補強するために本体１前面側の側壁間にコ字状断面を有する補強部材７を横架し、そのコ字状断面の補強部材７で形成される冷却風路８をコイル収容室６と基板収容室２０との双方に連通させているので、補強部材７は本体１前面側の側壁の補強と風路形成の双方を兼ね備えているため、従来のように大きな面積を持つ風路や開口部を設ける必要がなく、省スペースの構造とすることができる。また、補強部材７によって本体側壁が凹んだりするようなことがなく、本体１の軽量化が可能となる。
【００１６】
なお、補強部材７の断面形状は必ずしもコ字状に限られない。例えば、Ｃ字状としてもよい。また、コ字状の断面であれば、溝型部材を用いてダクトを容易に形成することができる。
【００１７】
実施の形態２．
次に、本発明をキッチン組み込み型の誘導加熱調理器として適用した場合を示す。図４は実施の形態２における誘導加熱調理器の概略斜視図で、図５は概略側面断面図である。
本実施の形態２の誘導加熱調理器は、トッププレート１０をキッチン台１００の取付穴１０２に取り付けた点以外は、実施の形態１と同様の構成であり、同様の作用効果を奏する。
キッチン組み込み型の場合、トッププレート１０によって本体重量を支えるので、補強部材７を本体１の前面側内部に横架することによって、薄板の本体側壁を補強することができる。その他の構成は実施の形態１と同様であり、同一の構成要素には同一符号を付して説明は省略する。
【００１８】
実施の形態３．
本実施の形態３は、実施の形態１及び実施の形態２で示した表示部４１の変形例を図６に示すものである。図６は本実施の形態３における誘導加熱調理器のトッププレートを取り外した状態を示す概略斜視図で、図７はその操作基板の斜視図、図８は図７の断面図である。
実施の形態１及び実施の形態２で示したように、トッププレート１０の前面側には加熱コイル２ａ、２ｂやグリル部３０などの加熱状況を示す液晶表示装置からなる表示部４１が設けられている。そこで、本実施の形態３ではこの表示部４１に加えて、補強部材７上に操作基板（スイッチ基板）１５を搭載することによって、使い勝手の良い誘導加熱調理器を提供するものである。操作基板１５には複数のスイッチ１８とスイッチ１８に連動してオン、オフする発光ダイオード（ＬＥＤ）１９が配設されている。
【００１９】
そしてさらに図７、図８に示すように、操作基板１５の温度上昇を抑えるために補強部材７の冷却風路８を流れる冷却風により操作機板１５を冷却するものとする。その構成の一例を図７に示す。例えば、補強部材７をＬ型の部材で構成し、上方のフランジ部に対応する部分に基板ホルダー１６を取り付けて、基板ホルダー１６と上記Ｌ型部材とでコ字状の補強部材７を構成する。なお、コ字状の補強部材７の上面すなわち上部フランジを基板ホルダー１６として構成しても良い。さらにこの基板ホルダー１６には冷却風路８に連通する連通孔１７が設けられており、補強部材７の冷却風路８を流れる冷却風の一部をこの連通孔１７より導出することによって、操作基板１５の下面を冷却することができる。
【００２０】
実施の形態４．
図９は本発明の実施の形態４における誘導加熱調理器の加熱庫の構成を示す概略斜視図で、前面プレート部を除いた状態を示していている。
グリル部３０には魚焼きなどに使用する加熱庫３１が設けられている。本実施の形態４では、加熱庫３１からの熱が漏洩して基板収容室２０とは反対側（加熱庫３１側）の本体側壁１１が高温となるのを防ぐために、基板収容室２０から加熱庫３１の下側を通って本体側壁１１と加熱庫３１との間の隙間に連通する側壁冷却風路３３を設けるものである。すなわち、基板収容室２０と加熱庫３１とを区画する仕切壁２２に側壁冷却風路３３の入口３３ａを設け、入口３３ａに連通する側壁冷却風路３３を加熱庫３１のベース３２を横切るように設けるものである。側壁冷却風路３３の出口３３ｂはベース３２の側面に開口させ、側壁冷却風路３３を通過した冷却風が出口３３ｂから本体側壁１１と加熱庫３１との間の隙間に立ち上がるように構成する。
【００２１】
この構成により、冷却ファン５によって送風された冷却風は、前述のように基板収容室２０内に吹き込まれ制御基板２１を冷却するとともに、冷却風の一部が基板収容室２０から入口３３ａに入り、加熱庫３１の下側の側壁冷却風路３３を通って出口３３ｂより本体側壁１１と加熱庫３１との間の隙間に出て立ち上がるため、本体側壁１１を冷却することができる。よって、基板収容室２０と反対側の本体側壁１１が高温になるのを効率よく防ぐことができる。なお、側壁冷却風路３３は加熱庫３１の前部側に設ける方が後部寄りに設けるよりも、より効果的に本体側壁１１を冷却することができるので、好ましい。
【００２２】
実施の形態５．
図１０は本発明の実施の形態５における誘導加熱調理器の加熱庫の別の構成例を示す概略斜視図で、図１１はその断面図である。
本実施の形態５は、加熱庫３１の周壁を空気層等による断熱層３４を有する二重壁の構造とし、その底面壁の一部を凸状に窪ませて上記のような側壁冷却風路３３を形成するものである。
【００２３】
この構成により、断熱層３４を有する加熱庫３１の二重壁構造によって加熱庫３１から漏洩する熱量を減少させ、かつその加熱庫３１の底部を横断するように設けられた側壁冷却風路３３からの冷却風によって本体側壁１１を冷却するので、本体側壁１１の高温化防止に一層役立つものとなる。また、側壁冷却風路３３は加熱庫３１底部の二重壁の一部を利用して形成されているため、側壁冷却風路３３形成のための部品を製作する必要がなく、コスト低減につながる。
【図面の簡単な説明】
【００２４】
【図１】本発明の実施の形態１における誘導加熱調理器の概要を示す正面側からの斜視図である。
【図２】図１のトッププレートを取り外した状態を背面側から見た概略斜視図である。
【図３】図１の概略側面断面図である。
【図４】本発明の実施の形態２における誘導加熱調理器の概略斜視図である。
【図５】図４の概略断面側面図である。
【図６】本発明の実施の形態３における誘導加熱調理器のトッププレートを取り外した状態を示す概略斜視図である。
【図７】図６の操作基板の斜視図である。
【図８】図７の断面図である。
【図９】本発明の実施の形態４における誘導加熱調理器の加熱庫の構成を示す概略斜視図である。
【図１０】本発明の実施の形態５における誘導加熱調理器の加熱庫の別の構成例を示す概略斜視図である。
【図１１】図１０の断面図である。
【符号の説明】
【００２５】
１  本体、２ａ、２ｂ  加熱コイル、３  吸気口、４  排気口、５  冷却ファン、６  コイル収容室、７  補強部材、８、８ａ、８ｂ  冷却風路、１０  トッププレート、１１  本体側壁、１２  コイルユニット支持プレート、１５  操作基板、１６  基板ホルダー、１７  連通孔、２０  基板収容室、２１  制御基板、３０  グリル部、３１  加熱庫、３２  ベース、３３  側壁冷却風路、３４  断熱層、４０  操作パネル、４１  表示部。
【図１】
2008071679.tif 000003
【図２】
2008071679.tif 000004
【図３】
2008071679.tif 000005
【図４】
2008071679.tif 000006
【図５】
2008071679.tif 000007
【図６】
2008071679.tif 000008
【図７】
2008071679.tif 000009
【図８】
2008071679.tif 000010
【図９】
2008071679.tif 000011
【図１０】
2008071679.tif 000012
【図１１】
2008071679.tif 000013